(57)【要約】【課題】フックを立ち上げ姿勢でディスプレイ板に保持でき、フックが邪魔にならず持ち運べ、かつフックに良好な強度を有し、廃棄時に可燃物としてフックとディスプレイ板とを焼却処分できるディスプレイ材を提供する。【解決手段】フックをディスプレイ板の掛止穴の掛止構造体を中心にして使用姿勢と立ち上げ姿勢との間で上下回動可能としたので、フックを立ち上げ姿勢でディスプレイ板に保持でき、フックが邪魔にならずディスプレイ材を持ち運べる。また、フックが、熱可塑性合成樹脂１００重量部に対して１０〜２００重量部の可燃性材料を添加した素材からなるので、フックは良好な強度を有する。フックとディスプレイ板とが可燃性素材からなるので、ディスプレイ材の廃棄時に、両部材を可燃物として焼却処分できる。【選択図】図１
0003165590.tif 000002
【実用新案登録請求の範囲】
【請求項１】
商品を掛止する掛止棒を有するフックと、該フックの掛止穴が穿設されたディスプレイ板とを備えたディスプレイ材であって、
前記フックの素材が、熱可塑性合成樹脂１００重量部に対して１０〜２００重量部の低発熱性可燃性材料であり、前記ディスプレイ板の素材が、フックの素材に用いられると同一または異なる可燃性材料であり、
前記フックは、前記ディスプレイ板に掛止された前記掛止構造体を中心にして、前記ディスプレイ板への片持ちはり状の使用姿勢と、前記掛止棒の先端部が前記ディスプレイ板の表面に接近する立ち上げ姿勢との間で上下回動可能に構成されたことを特徴とするディスプレイ材。
【請求項２】
前記掛止構造体には、
前記フックを片持ちはり状の使用姿勢で前記ディスプレイ板に掛止する第１の掛止部と、
前記フックの先部が前記ディスプレイ板の表面に接近する立ち上げ姿勢で前記フックを前記ディスプレイ板に掛止する第２の掛止部とが配設された請求項１に記載のディスプレイ材。
【請求項３】
前記第２の掛止部は、前記フックの立ち上げ姿勢で、前記ディスプレイ板の掛止穴の下側形成部の裏面に引っ掛かり、前記フックの立ち上げ姿勢を保持する掛止突起を有した請求項２に記載のディスプレイ材。
【請求項４】
前記第２の掛止部に、前記フックの立ち上げ姿勢で、前記ディスプレイ板の掛止穴の下側形成部に前記第２の掛止部を弾性的に押し付ける弾性掛止板が設けられた請求項２または請求項３に記載のディスプレイ材。
【請求項５】
前記掛止棒の外周面の上部および下部と、該掛止棒の外周面の左部および右部とのうち、少なくとも一方には、該掛止棒の長さ方向の全長にわたって複数本の補強リブが離間して形成された請求項１〜請求項４のうち、何れか１項に記載のディスプレイ材。
【請求項６】
前記掛止棒の外周面には、該掛止棒の全周にわたって前記商品の滑り止めリングが形成された請求項１〜請求項５のうち、何れか１項に記載のディスプレイ材。
【請求項７】
前記掛止棒は、前記フックの使用姿勢で、前記ディプレイ板の表面に直交する面を基準にして斜め上方へ傾斜する形状のものである請求項１〜請求項６のうち、何れか１項に記載のディスプレイ材。
【請求項８】
前記ディスプレイ板の掛止穴は、前記ディスプレイ板に掛止された前記掛止構造体を左右方向へスライド可能な長穴である請求項１〜請求項７のうち、何れか１項に記載のディスプレイ材。
【請求項９】
前記フックには、前記商品の価格表示体が設けられた請求項１〜請求項８のうち、何れか１項に記載のディスプレイ材。
【請求項１０】
前記フックに用いられる低発熱製可燃性材料が、紙、木粉およびバルカナイズアイバの中から選ばれる少なくとも１種からなる請求項１〜請求項９のうち、何れか１項に記載のディスプレイ材。
【請求項１１】
前記ディスプレイ板の可燃性材料が、厚紙、木材、前記フック用の素材の中から選ばれる少なくとも１種からなる請求項１〜請求項１０のうち、何れか１項に記載のディスプレイ材。
【考案の詳細な説明】
【技術分野】
【０００１】
本考案は、ディスプレイ材、さらに詳細には、ディスプレイ板に片持ちはり状に掛止されたフックを、ディスプレイ板の表面と略平行な状態に折り畳めるディスプレイ材に関する。
【背景技術】
【０００２】
従来、例えば、スーパーマーケット、ドラッグストア、コンビニエンストアなどでは、袋詰めされた雑貨品などを陳列する際に、金属製あるいは樹脂製のディスプレイ板の孔に掛止された金属製または樹脂製のフックを利用する場合がある。
【０００３】
しかしながら、この従来技術にあっては、ディスプレイ材を持ち運ぶ際、ディスプレイ板から片持ちはり状に突出したフックが邪魔になり、鞄やケース等に入れて持ち運び難かった。そのため、従来技術の運搬時には、ディスプレイ板からフックをいったん取り外した分解状態でディスプレイ材を店舗へ運び込み、その後、売り場で再度ディスプレイ板にフックを取り付けていた。従来はこのようにしてディスプレイ材を運搬していたため、運搬に伴うディスプレイ板へのフックの着脱作業に手間と時間を要していた。しかも、ディスプレイ板とフックとを別々に持ち運ぶ必要もあり、フックが紛失するおそれもあった。
さらに、この従来技術にあっては、陳列用のディスプレイ板およびフックがいずれも金属製あるいは燃焼時の燃焼カロリーが高い樹脂製であったので、廃棄する際には燃えないゴミとして廃棄処分場に廃棄されている。このような不燃物のゴミが増加することは、地球環境にとって好ましくはないことは言うまでもない。
【先行技術文献】
【特許文献】
【０００４】
【特許文献１】実用新案登録第３０７５９９１号
【考案の概要】
【考案が解決しようとする課題】
【０００５】
本考案は、このような問題点に鑑みなされたもので、フックを略直角に上方回動させた立ち上げ姿勢でディスプレイ板に保持することができ、これによりフックが邪魔にならず持ち運ぶことができるディスプレイ材を提供するものある。
さらに、本考案は、フックが良好な強度を有し、かつフックとディスプレイ板とを可燃物として焼却処分することができるディスプレイ材を提供するものである。
【課題を解決するための手段】
【０００６】
上記の課題を達成するため、本考案は、次のように構成されている。
本考案のディスプレイ材は、商品を掛止する掛止棒を有するフックと、該フックの掛止穴が穿設されたディスプレイ板とを備えたディスプレイ材であって、前記フックの素材が、熱可塑性合成樹脂１００重量部に対して１０〜２００重量部の低発熱性可燃性材料であり、前記ディスプレイ板の素材が、フックの素材に用いられると同一または異なる可燃性材料で、前記フックは、前記ディスプレイ板に掛止された前記掛止構造体を中心にして、前記ディスプレイ板への片持ちはり状の使用姿勢と、前記掛止棒の先端部が前記ディスプレイ板の表面に接近する立ち上げ姿勢との間で上下回動可能に構成されたことを特徴とするディスプレイ材である。
【０００７】
また、本考案のディスプレイ材は、前記フックを片持ちはり状の使用姿勢で前記ディスプレイ板に掛止する第１の掛止部と、前記フックの先部が前記ディスプレイ板の表面に接近する立ち上げ姿勢で前記フックを前記ディスプレイ板に掛止する第２の掛止部とが、前記掛止構造体に配設されるように構成してもよい。
さらに、本考案のディスプレイ材は、前記フックの立ち上げ姿勢で、前記ディスプレイ板の掛止穴の下側形成部の裏面に引っ掛かり、前記フックの立ち上げ姿勢を保持する掛止突起を、前記第２の掛止部に有するように構成してもよい。
【０００８】
さらにまた、本考案のディスプレイ材は、前記第２の掛止部に、前記フックの立ち上げ姿勢で、前記ディスプレイ板の掛止穴の下側形成部に前記第２の掛止部を弾性的に押し付ける弾性掛止板が設けるように構成してもよい。
本考案のディスプレイ材は、前記掛止棒の外周面の上部および下部と、該掛止棒の外周面の左部および右部とのうち、少なくとも一方には、該掛止棒の長さ方向の全長にわたって複数本の補強リブが離間して形成されるように構成してもよい。
【０００９】
また、本考案のディスプレイ材は、前記掛止棒の外周面に、該掛止棒の全周にわたって前記商品の滑り止めリングが形成されるように構成してもよい。
本考案のディスプレイ材は、前記掛止棒を、前記フックの使用姿勢で、前記ディプレイ板の表面に直交する面を基準にして斜め上方へ傾斜する形状のものに構成してもよい。
本考案のディスプレイ材は、前記ディスプレイ板の掛止穴を、前記ディスプレイ板に掛止された前記掛止構造体が左右方向へスライド可能となる長穴に構成してもよい。
本考案のディスプレイ材は、前記商品の価格表示体を前記フックに設けるように構成してもよい。
【００１０】
本考案のディスプレイ材は、前記フックに用いられる低発熱製可燃性材料が、紙、木粉およびバルカナイズアイバの中から選ばれる少なくとも１種からなるように構成してもよい。
本考案のディスプレイ材は、前記ディスプレイ板の可燃性材料が、厚紙、木材、前記フック用の素材の中から選ばれる少なくとも１種からなるように構成してもよい。
【考案の効果】
【００１１】
本考案のディスプレイ材によれば、フックを、ディスプレイ板の掛止穴に掛止された掛止構造体を中心にして、使用姿勢と立ち上げ姿勢との間で上下回動可能に構成したので、フックを立ち上げ姿勢でディスプレイ板に保持することができる。これにより、フックが邪魔にならずディスプレイ材を持ち運ぶことができる。
さらに、フックの素材を熱可塑性合成樹脂１００重量部に対して１０〜２００重量部の低発熱性可燃性材料とし、かつディスプレイ板の素材を、フックの素材に用いられるものと同一または異なる可燃性材料としたので、フックに良好な強度を与えることができる。しかも、ディスプレイ材を廃棄する際に、両部材を可燃物として焼却処分することができる。
【００１２】
また、掛止構造体に、第１の掛止部と第２の掛止部とを配設した場合には、第１の掛止部をディスプレイ板の掛止穴に掛止することで、フックを片持ちはり状の使用姿勢でディスプレイ板に保持することができる。また、第２の掛止部をディスプレイ板の掛止穴に掛止することで、フックを立ち上げ姿勢でディスプレイ板に保持することができる。
【００１３】
さらに、第２の掛止部に掛止突起を有するように構成した場合には、フックを立ち上げた際、掛止突起がディスプレイ板の掛止穴の下側形成部の裏面に引っ掛かり、フックをディスプレイ板に立ち上げ姿勢で掛止することができる。これにより、ディスプレイ材の持ち運び時に、フックがディスプレイ板から外れ難い。
【００１４】
さらにまた、第２の掛止部に弾性掛止板を設けた場合には、フックを立ち上げた際、弾性掛止板を介して、第２の掛止部をディスプレイ板の掛止穴の下側形成部に弾性的に押し付けることができる。これにより、ディスプレイ板への第２の掛止部の掛止力が高まり、ディスプレイ材の持ち運び時に、フックがディスプレイ板からさらに外れ難くなる。
【００１５】
掛止棒の外周面の上部および下部と、掛止棒の外周面の左部および右部とのうち、少なくとも一方に補強リブを形成した場合には、補強リブによりフックの剛性が高まる。これにより、掛止棒に多数の商品を吊り下げることができる。
【００１６】
掛止棒の外周面に滑り止めリングを形成した場合には、掛止棒上での商品の滑りを防止することができる。
掛止棒を、フックの使用姿勢で、ディプレイ板の表面に直交する面を基準にして斜め上方へ傾斜する形状のものに構成した場合には、商品が掛止棒から落下するのを防止することができる。
【００１７】
ディスプレイ板の掛止穴を、ディスプレイ板に掛止された掛止構造体が左右方向へスライド可能となる長穴に構成した場合には、例えば商品のサイズなどに合わせて、使用姿勢におけるフックの掛止位置を掛止穴の左右方向（横方向）へ変更することができる。
商品の価格表示体をフックに設けた場合には、価格表示体を視認することで、商品の価格を一目で知ることができる。
【図面の簡単な説明】
【００１８】
【図１】本考案の実施例１に係るディスプレイ材の使用状態の斜視図である。
【図２】本考案の実施例１に係るディスプレイ材の一部を構成するフックをディスプレイ板の掛止穴に掛止している状態を示す斜視図である。
【図３】本考案の実施例１に係るディスプレイ材の一部を構成するフックがディスプレイ板に使用姿勢で掛止されている状態を示す一部断面図を含む側面図である。
【図４】本考案の実施例１に係るディスプレイ材の一部を構成するフックがディスプレイ板に立ち上げ姿勢で掛止されている状態を示す一部断面図を含む側面図である。
【図５】本考案の実施例１に係るディスプレイ材の一部を構成する価格表示体が設けられたフックを示す斜視図である。
【図６】本考案の実施例１に係るディスプレイ材の一部を構成する価格表示体を示す斜視図である。
【図７】本考案の実施例１に係るディスプレイ材の一部を構成するフックの別の形態を示す斜視図である。
【考案を実施するための形態】
【００１９】
以下、本考案の実施例１を具体的に説明する。なお、ここでは、靴下用のディスプレイ材を例に説明する。
【実施例】
【００２０】
図１および図２において、符号１０はこの考案の実施例１に係るディスプレイ材であり、このディスプレイ材１０は、商品１１が掛止される上下３本ずつ、合計６本のフック１２と、各フック１２の掛止穴１３ａが上下３個ずつ穿設された台紙（ディスプレイ板）１３とを備えている。
【００２１】
以下、各構成部品を詳細に説明する。
商品１１は、ポリプロピレンフィルムの袋に詰められた色とりどりの靴下であり、各袋の上部にはフック１３に対して掛脱自在な掛止部１１ａが取り付けられている。実施例１では、１本のフック１２に１個の商品１１を吊っているが、２個以上の商品１１を吊り下げてもよい。
【００２２】
〔傾斜について〕
フック１２は、その元部付近に設けられた逆二等辺三角形のベース板１２ａの下部の表面に掛止棒１２ｂが一体成形されている。掛止棒１２ｂは、後述するフック１２の使用姿勢において、台紙１３の表面に直交する面を基準にして斜め上方へ傾斜している。これにより、商品の落下を防止することができる。傾斜はなくても構わない。傾斜を有する場合、例えば、直交する面を基準にして１０度以下、好ましくは２〜５度が挙げられる。
〔補強リブについて〕
掛止棒１２ｂの外周面の上下左右の４箇所には、掛止棒１２ｂの長さ方向の全長にわたって、筋状の補強リブ１２ｄを互いに離間して一体形成されている。これにより、フック１２の剛性が高まり、掛止棒１２ｂに多数の商品１１を吊り下げたり、重い商品１１を吊り下げることができる。補強リブ１２ｄは必要に応じて形成でき、掛止棒の外周面の上部および下部と、掛止棒の外周面の左部および右部とのうち、少なくとも一方に形成することができる。
【００２３】
また、ベース板１２ａの裏面の上部には、上方へ屈曲した厚肉な上下二股形状の掛止構造体１２ｃが一体成形されている。これにより、フック１２は、台紙１３に掛止された掛止構造体１２ｃを中心にして、台紙１３への片持ちはり状の使用姿勢と、掛止棒１２ｂの先端部が台紙１３の表面に接近する立ち上げ姿勢との間で、略９０°の上下回動を行うことができる。
【００２４】
以下、掛止構造体１２ｃを具体的に説明する。図３は、フックがディスプレイ板に使用姿勢で掛止されている状態を示している。図４は、フックがディスプレイ板に立ち上げ姿勢で掛止されている状態を示している。
掛止構造体１２ｃは、フック１２を片持ちはり状の使用姿勢で台紙１３に掛止する側面視して略Ｉの字を有した厚肉な第１の掛止部１２ｅを本体としている。すなわち、フック１２は、第１の掛止部１２ｅの元部を、台紙１３の掛止穴１３ａの上部形成部に掛止することで、台紙１３に片持ちはり状の使用姿勢で掛脱自在に掛止される。
【００２５】
また、第１の掛止部１２ｅの元部付近の下面からは、立ち上げ姿勢のフック１２を台紙１３に掛止する弾性掛止板である薄肉な第２の掛止部１２ｆが、その全長にわたって、第１の掛止部１２ｅの下面に対して一定の隙間をあけるように分岐されている。この場合、フック１２の立ち上げ姿勢時、弾性掛止板を介して、第２の掛止部１２ｆは、ディスプレイ板の掛止穴の下側形成部に弾性的に押し付けられ、立ち上げ姿勢を保持する。第２の掛止部１２ｆは、第１の掛止部１２ｅに一体形成されている。また、フック１２の立ち上げ姿勢において、掛止構造体１２ｃのうち、外力が作用されない状態での掛止穴１３ａに掛止される部分の厚さは、掛止穴１３ａの縦方向（上下方向）の長さより前記隙間分だけ厚くなっている。第２の掛止部１２ｆに弾性力を設ける方法は、弾性掛止板を形成する方法に限られず、例えば、第２の掛止部１２ｆを弾力性のある素材で形成することができる。
【００２６】
さらに、第２の掛止部１２ｆの先端部には、フック１２の立ち上げ姿勢時、台紙１３の掛止穴１３ａの下側形成部の裏面に引っ掛かり、フック１２の立ち上げ姿勢を保持する掛止突起１２ｇが一体形成されている。このとき、掛止突起１２ｇは、第２の掛止部１２ｆの弾性力により、台紙１３の掛止穴１３ａの下側形成部の裏面に弾性的に押し付けられる。
【００２７】
フック１２は、可燃性のペレットを原料にして射出成形される。次に、このフック１２の原料を詳細に説明する。
フック１２は、熱可塑性合成樹脂を主原料とし、これに各種の低発熱性可燃性材料が所定量添加されている。
【００２８】
熱可塑性合成樹脂としては、例えばポリエチレン、ポリプロピレン、エチレン系共重合体、プロピレン系共重合体などのポリオレフィン系樹脂のほか、ポリスチレン、ＡＢＳ樹脂などのスチレン系樹脂、ナイロン６、ナイロン６，６などのポリアミド、ポリエチレンテレテフタレート、ポリブチレンテレフタレートなどのポリエステル、ポリメチル（メタ）アクリレートなどのアクリル系樹脂などが挙げられる。
【００２９】
また、熱可塑性合成樹脂としては、酢酸セルロース；ポリ（α−ヒドロキシ酸）、ポリ（β−ヒドロキシアルカノエート）、ポリ（ω−ヒドロキシアルカノエート）、ポリアルキレンアルカノエートなどの脂肪族ポリエステル；そのほか、ポリグリコール酸、ポリ−Ｌ−乳酸、グリコリド／ラクチド共重合体、ポリジオキサン、グリコリド／トリメチレンカーボネート共重合体、ポリカプロラクトンなどの生分解性プラスチック類が挙げられるが、これらの生分解性プラスチックに限定されるものではない。
以上の熱可塑性合成樹脂のうちでも、強度面や経済面から、ポリプロピレンが好ましい。
以上の熱可塑性合成樹脂は、１種単独であるいは２種以上を併用することができる。
【００３０】
フック１２用の低発熱性可燃性材料としては、例えば古紙、紙製品、木粉、麻、コットンパルプ、木材パルプ、マーセル化パルプ、溶媒再生セルロース、ビスコース、酢酸セルロース、セルロースフィラーなどの植物繊維が挙げられる。そのほか、バルカナイズファイバなども利用できる。
【００３１】
バルカナイズファイバとは、木材繊維または綿でつくられた原紙を塩化亜鉛溶液に浸漬し、その後、水洗いにより塩化亜鉛溶液などを抜きとり、乾燥、プレス加工を経て成形仕上げされた積層品である。バルカナイズファイバは、化学的に中性で、緻密かつ強靱な工業材料であるから、それ自体、機械的強度を有し、弾力性を備え、ねじりに対する復元性も備えている。また、バルカナイズファイバは静電気を帯びないか、または静電気の発生が極めて少ない。このため、商品１１に埃などが付着しにくい。これは、木材繊維などの天然繊維で作られており、その表面は樹脂のようにつるつるしておらず、粗面化していて摩擦に対する接触面積が小さいためであると考えられる。
【００３２】
このうち、古紙や紙製品などは、あらかじめ粉砕機により数ｍｍ角に粉砕されて使用される。
なお、低発熱性可燃性材料の代わりに、炭酸カルシウムなどの、熱可塑性合成樹脂の燃焼カロリーを抑えることのできる無機系の材料を用いることも可能である。
【００３３】
熱可塑性合成樹脂に対する低発熱性可燃性材料の添加割合は、熱可塑性合成樹脂１００重量部に対して１０〜２００重量部、好ましくは２０〜１００重量部である。１０重量部未満では、低発熱性可燃性材料の割合が少なすぎて、焼却処分に適さず、一方、２００重量部を超えると、成形加工が難しくなり、また、フック１２の強度がでない。
得られる成形材料（熱可塑性合成樹脂＋低発熱性可燃性材料）は、例えば一軸押出機に投入されて、１８０℃くらいの温度でいったんペレット化される。その後、このペレットを射出成形機で射出成形することで、フック１２が射出成形される。なお、射出成形でなくても、例えば型押し成形などでもよい。
【００３４】
次に、前記台紙１３について詳細に説明する。
台紙１３は、フック１２に用いられると同一または異なる可燃性素材からなる厚紙である。その厚さは２〜７ｍｍ、好ましくは２〜３ｍｍである。２ｍｍ未満では、薄すぎて強度がでず、一方、７ｍｍを超えると、厚すぎて取り扱い性が悪く、また経済的でない。ただし、この実施例１では、厚さ３ｍｍの台紙１３が採用されている。
【００３５】
台紙１３用の可燃性素材としては、例えば厚紙、木材またはフック１２用の素材などが挙げられる。木材としては、例えばラワン材、杉、檜、松、各種の合板などが挙げられる。
台紙１３に穿設された各掛止穴１３ａは、フック１２の掛止構造体１２ｃが、比較的容易に掛脱できるサイズの矩形状を有している。
〔長穴について〕
また、各掛止穴１３ａは、台紙１３に掛止された掛止構造体１２ｃが左右方向へスライド可能となる長穴としてもよい。この場合には、例えば商品１１のサイズなどに合わせて、使用姿勢におけるフック１２の掛止位置を掛止穴１３ａの左右方向（横方向）へ変更することができる。例えば、フック１２の掛止構造体１２ｃの幅が１ｃｍの場合、掛止穴１３ａを横方向へ２ｃｍとすることができる。
台紙１３の上部には、紐が通されている。この紐によって、沢山の商品１１が各フック１２に掛止されたディスプレイ材１０を、コンビニエンスストアなどの陳列棚の所定箇所に吊り下げることができる。
【００３６】
〔使用方法について〕
図１および図２に示すように、このディスプレイ材１０を使用する際には、６本ないし特定陳列商品数に合わせた本数のフック１２のそれぞれを、各掛止構造体１２ｃと各掛止穴１３ａを介して、台紙１３に片持ちはり状の使用姿勢でそれぞれ掛止する（図３）。その後、各フック１２に商品１１を吊り下げて店頭に陳列する。
したがって、客は、フック１２から商品１１を外し、レジに持っていって購入する。
例えば、ディスプレイ材１０が長期間の使用で傷んだり、陳列棚の商品１１を入れ替える際などには、各フック１２が台紙１３に掛止されたまま、ディスプレイ材１０を可燃物として廃棄処分することができる。これは、フック１２および台紙１３がいずれも可燃性の原料から作製されているためである。また、商品１１が掛止されるフック１２の素材を、熱可塑性合成樹脂１００重量部に対して、１０〜２００重量部の低発熱性可燃性材料を添加したものとしたので、フック１２に対して多数の商品１１を吊り下げるのに十分に耐えられる強度を与えることができる。
しかも、このようにフック１２と台紙１３とがいずれも可燃性素材からなるので、ディスプレイ材１０を廃棄する際には、両部材１２，１３を可燃物として焼却処分することができる。
【００３７】
ディスプレイ材１０の持ち運び時には、フック１２を、台紙１３の掛止穴１３ａに掛止された掛止構造体１２ｃを中心にして略９０°だけ上方回動させ、立ち上げ姿勢とする（図４）。このように、フック１２を、台紙１３の掛止穴１３ａに掛止された掛止構造体１２ｃを中心にして、使用姿勢と立ち上げ姿勢との間で上下回動可能に構成したので、フック１２を略直角に上方回動させた折り畳み状態で台紙１３に保持することができる。これにより、フック１２が邪魔にならず台紙１３を持ち運ぶことができる。
【００３８】
また、第２の掛止部１２ｆに掛止突起１２ｇを設けたので、フック１２を立ち上げた際、掛止突起１２ｇが台紙１３の掛止穴１３ａの下側形成部の裏面に引っ掛かり、フック１２を台紙１３に立ち上げ姿勢で掛止することができる。これにより、ディスプレイ材１１の持ち運び時に、フック１２が台紙１３から外れ難い。
【００３９】
さらに、第２の掛止部１２ｆを弾性掛止板としたので、フック１２を立ち上げた際、第２の掛止部１２ｆを台紙１３の掛止穴１３ａの下側形成部に弾性的に押し付けることができる。これにより、台紙１３への第２の掛止部１２ｆの掛止力が高まり、ディスプレイ材１１の持ち運び時に、フック１２が台紙１３からさらに外れ難くなる。
【００４０】
〔価格表示体について〕
なお、ディスプレイ材用のフック１２は、例えば図５および図６に示す、前記フック１２と価格表示体１５に組み付け自在に設けてもよい。これにより、商品１１の価格を一見して認識することができる。価格表示体１５をフック１２又はディスプレイ材１１と同じ素材とすることも可能である。
図５および図６に示すように、価格表示体１５は、縦長な矩形状のフック掛止板１５ａの裏面に、台紙１３の掛止穴１３ａの下部形成部に掛脱される台紙掛止部１５ｂが一体成形されている。また、フック掛止板１５ａの上部の中央部には、前記掛止穴１３ａと同一形状の掛止穴１５ｃが形成されている。さらに、フック掛止板１５ａの裏面の上部には、フック掛止板１５ａの表面側へ９０度屈曲したＬ字アーム１５ｄが一体成形されている。Ｌ字アーム１５ｄの先端には、商品１１の価格表示プレート１５ｅが一体成形されている。
【００４１】
図５に示すように、フック１２は、掛止穴１５ｃを介してフック掛止板１５ａに片持ちはり状の使用姿勢で掛止されることで、価格表示体１５に掛脱自在に組み付けられる。このフック１２が組み付けられたフック掛止板１５ａは、台紙掛止部１５ｂを介して、台紙１３の掛止穴１３ａに掛止される。
【００４２】
〔商品の滑り止めリングについて〕
なお、ディスプレイ材用のフック１２としては、例えば図７に示す、掛止棒１２ｂの外周面に１本または２本以上（ここでは５本）の環状の滑り止めリング１２ｈを、掛止棒１２ｂの長さ方向に所定ピッチで一体形成したものを採用してもよい。この場合には、掛止棒１２ｂ上での商品１１の滑りを防止することができる。
【産業上の利用可能性】
【００４３】
本考案は、例えば、スーパーマーケット、ドラッグストア、コンビニエンストアなどで、袋詰めされた雑貨品などを陳列する際に用いるディスプレイ材として有用である。
【符号の説明】
【００４４】
１０  ディスプレイ材
１１  商品
１２  フック
１２ｂ  掛止棒
１２ｃ  掛止構造体
１２ｄ  補強リブ
１２ｅ  第１の掛止部
１２ｆ  第２の掛止部（弾性掛止板）
１２ｇ  掛止突起
１２ｈ  滑り止めリング
１３  台紙（ディスプレイ板）
１３ａ  掛止穴
１５  価格表示体
【図１】
0003165590.tif 000003
【図２】
0003165590.tif 000004
【図３】
0003165590.tif 000005
【図４】
0003165590.tif 000006
【図５】
0003165590.tif 000007
【図６】
0003165590.tif 000008
【図７】
0003165590.tif 000009